【手続補正書】
【提出日】平成29年3月3日(2017.3.3)
【手続補正１】
【補正対象書類名】特許請求の範囲
【補正対象項目名】全文
【補正方法】変更
【補正の内容】
【特許請求の範囲】
【請求項１】
遊技球が打ち込まれることが可能な遊技領域と該遊技領域とは異なる非遊技領域とを有する遊技盤と、該遊技盤の裏面に取り付けられ、かつ、遊技の進行を制御するマイクロプロセッサが実装される主制御基板と、を備える遊技機であって、
前記遊技盤は、少なくとも、
前記主制御基板のマイクロプロセッサにより駆動制御されて各種機能表示を行う表示素子が一定個数実装されるとともに、遊技機の仕様が異なる機種間において、それら一定個数の表示素子が各種機能表示にそれぞれ割り当てられることにより共通に使用可能とされ、かつ、前記遊技盤の前記非遊技領域に配置される機能表示基板を備え、
前記機能表示基板にそれぞれ一定個数実装される表示素子は、少なくとも、
前記遊技領域に設けられた始動入賞口に遊技球が入球して大当り遊技状態の発生の有無を所定の特別図柄として変動表示する特別図柄表示素子と、
前記遊技領域に設けられた前記始動入賞口に遊技球が入球して前記特別図柄表示素子で特別図柄が変動表示されないときには特別保留数として表示する特別図柄記憶表示素子と、
前記遊技領域に設けられたゲートに遊技球が通過して開閉部材の開閉の有無を所定の普通図柄として変動表示する普通図柄表示素子と、
前記遊技領域に設けられたゲートに遊技球が通過して前記普通図柄表示素子で普通図柄が変動表示されないときには保留数として表示する普通図柄記憶表示素子と、
現在の遊技状態を表示しうる遊技状態表示素子と、
前記遊技領域に設けられた大入賞口に遊技球が入球することができない状態から入球しやすい状態となるラウンド数を表示するラウンド表示素子と、に割り当てられており、
前記特別図柄表示素子と前記特別図柄表示素子と異なる他の表示素子とは、前記機能表示基板に集約して配置されるものであり、
前記機能表示基板上に集約して配置された表示素子の機能を区別するための機能表示部が印刷され、さらに該機能表示部と同一面に管理符号が印刷された機能表示手段と、
前記表示素子と対向する位置に、一の表示素子と一の表示素子に隣接する他の表示素子とで発光される光が混在することを防止する開口部を設けた中間部材と、を備え、
前記特別図柄表示素子に対応する機能表示部は、前記特別図柄表示素子を囲うように印刷されていることにより、前記特別図柄表示素子と前記特別図柄表示素子とは異なる他の表示素子とで区別可能とし、
前記機能表示手段は、遊技盤の前面側であって前記機能表示基板の前側の位置であり、かつ、前記中間部材の前記開口部に対応する位置に前記機能表示部が位置するように前記中間部材の前側の位置に設けた
ことを特徴とした遊技機。
【手続補正２】
【補正対象書類名】明細書
【補正対象項目名】０００１
【補正方法】変更
【補正の内容】
【０００１】
本発明は、異なる仕様に対応できる遊技機に関するものである。
【手続補正３】
【補正対象書類名】明細書
【補正対象項目名】０００２
【補正方法】削除
【補正の内容】
【手続補正４】
【補正対象書類名】明細書
【補正対象項目名】０００３
【補正方法】削除
【補正の内容】
【手続補正５】
【補正対象書類名】明細書
【補正対象項目名】０００４
【補正方法】変更
【補正の内容】
【０００４】
【特許文献１】特開平１０−１５１２６４号公報（図１）
【特許文献２】特開２００２−３５２２８号公報（図２及び図３）
【手続補正６】
【補正対象書類名】明細書
【補正対象項目名】０００５
【補正方法】変更
【補正の内容】
【０００５】
パチンコ遊技機を製造するメーカの作業者は、多仕様のパチンコ遊技機を組み立てるため、作業ミスが頻発することで、生産性が低下して生産計画に支障をきたすこととなる。
【手続補正７】
【補正対象書類名】明細書
【補正対象項目名】０００６
【補正方法】変更
【補正の内容】
【０００６】
本発明は、このような事情に鑑みてなされたものであり、その目的とするところは、作業ミスを防止することで生産性の向上に寄与することができるパチンコ遊技機を提供することにある。
【手続補正８】
【補正対象書類名】明細書
【補正対象項目名】０００８
【補正方法】変更
【補正の内容】
【０００８】
遊技球が打ち込まれることが可能な遊技領域と該遊技領域とは異なる非遊技領域とを有する遊技盤と、該遊技盤の裏面に取り付けられ、かつ、遊技の進行を制御するマイクロプロセッサが実装される主制御基板と、を備える遊技機であって、前記遊技盤は、少なくとも、前記主制御基板のマイクロプロセッサにより駆動制御されて各種機能表示を行う表示素子が一定個数実装されるとともに、遊技機の仕様が異なる機種間において、それら一定個数の表示素子が各種機能表示にそれぞれ割り当てられることにより共通に使用可能とされ、かつ、前記遊技盤の前記非遊技領域に配置される機能表示基板を備え、前記機能表示基板にそれぞれ一定個数実装される表示素子は、少なくとも、前記遊技領域に設けられた始動入賞口に遊技球が入球して大当り遊技状態の発生の有無を所定の特別図柄として変動表示する特別図柄表示素子と、前記遊技領域に設けられた前記始動入賞口に遊技球が入球して前記特別図柄表示素子で特別図柄が変動表示されないときには特別保留数として表示する特別図柄記憶表示素子と、前記遊技領域に設けられたゲートに遊技球が通過して開閉部材の開閉の有無を所定の普通図柄として変動表示する普通図柄表示素子と、前記遊技領域に設けられたゲートに遊技球が通過して前記普通図柄表示素子で普通図柄が変動表示されないときには保留数として表示する普通図柄記憶表示素子と、現在の遊技状態を表示しうる遊技状態表示素子と、前記遊技領域に設けられた大入賞口に遊技球が入球することができない状態から入球しやすい状態となるラウンド数を表示するラウンド表示素子と、に割り当てられており、前記特別図柄表示素子と前記特別図柄表示素子と異なる他の表示素子とは、前記機能表示基板に集約して配置されるものであり、前記機能表示基板上に集約して配置された表示素子の機能を区別するための機能表示部が印刷され、さらに該機能表示部と同一面に管理符号が印刷された機能表示手段と、前記表示素子と対向する位置に、一の表示素子と一の表示素子に隣接する他の表示素子とで発光される光が混在することを防止する開口部を設けた中間部材と、を備え、前記特別図柄表示素子に対応する機能表示部は、前記特別図柄表示素子を囲うように印刷されていることにより、前記特別図柄表示素子と前記特別図柄表示素子とは異なる他の表示素子とで区別可能とし、前記機能表示手段は、遊技盤の前面側であって前記機能表示基板の前側の位置であり、かつ、前記中間部材の前記開口部に対応する位置に前記機能表示部が位置するように前記中間部材の前側の位置に設けたことを特徴とした遊技機
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】削除
【補正の内容】
【手続補正１６】
【補正対象書類名】明細書
【補正対象項目名】００１８
【補正方法】変更
【補正の内容】
【００１８】
本発明によれば、作業ミスを防止することで生産性の向上に寄与することができる。